(57)【要約】  第１のノードと第２のノードとの間で情報を転送する方法であって、第１のノードからのフレームを第２のノードへと転送するステップを含む。当該フレームは、リンクモードを決定できるようにするためのリンクデータを含んでいる。第２のノードにおいてフレームを受信すると、フレームに含まれていたリンクデータを使用してリンクモードの決定処理が実行され、決定されたリンクモードを使用して、第２のノードから第１のノードへとデータが送信される。
2005509357.tif 000002
【特許請求の範囲】
【請求項１】
第１のノードと第２のノードとの間にあるリンクを介して情報を転送する方法であって、
（ａ）前記第１のノードから前記第２のノードへとリンクデータを搭載したフレームを転送するステップと、
（ｂ）前記第２のノードにおいて、前記フレームを受信するステップと、
（ｃ）前記第２のノードにおいて、前記リンクデータを使用して、前記第１のノードから前記第２のノードへのリンクモードを決定するステップと、
（ｄ）決定された前記リンクモードを使用して、前記第１のノードから前記第２のノードへとデータを送信するステップと
を含むことを特徴とする方法。
【請求項２】
前記リンクデータには、送信電力レベル、干渉レベル、およびチャネルを決定するための手段が含まれていることを特徴とする請求項１に記載の方法。
【請求項３】
前記リンクデータには、パイロットシーケンスがさらに含まれていることを特徴とする請求項１に記載の方法。
【請求項４】
前記第２のノードへの送信に先立って、前記送信電力レベルと前記干渉レベルとを前記フレーム内に格納するステップをさらに含むことを特徴とする請求項２に記載の方法。
【請求項５】
前記干渉レベルには、スペクトラム分布が含まれていることを特徴とする請求項２に記載の方法。
【請求項６】
後続のフレームを送信する際に前記（ａ）−（ｄ）のステップを繰り返すステップをさらに含むことを特徴とする請求項１に記載の方法。
【請求項７】
前記リンクデータを使用して、送信電力を決定するステップをさらに含むことを特徴とする請求項１に記載の方法。
【請求項８】
前記第１のノードにおいて、前記第２のノードから送信された前記データを受信するステップと、
前記第２のノードから前記第１のノードへと送信された前記データについて最適なリンクモードが使用されたかを判定するステップと、
もし最適なリンクモードが使用されていなければ、前記第１のノードから前記第２のノードへと、調整されたリンクデータを搭載した第２のフレームを送信するステップと
をさらに含むことを特徴とする請求項１に記載の方法。
【請求項９】
前記第２のノードにおいて、前記調整されたリンクデータを使用して、新しいリンクモードを決定するステップをさらに含むことを特徴とする請求項８に記載の方法。
【請求項１０】
前記調整されたリンクデータは、実質的に最適なリンクモードを達成できるように選択されることを特徴とする請求項８に記載の方法。
【請求項１１】
前記リンクデータには、ベクトル量が含まれていることを特徴とする請求項１に記載の方法。
【請求項１２】
第１のノードと第２のノードとの間にあるリンクを介して情報を転送する方法であって、
（ａ）前記第１のノードから前記第２のノードへと、送信電力レベル、干渉レベル、およびチャネルを決定するための手段を含むリンクデータを搭載したフレームを転送するステップと、
（ｂ）前記第２のノードにおいて、前記フレームを受信するステップと、
（ｃ）前記第２のノードにおいて、前記リンクデータを使用して、前記第１のノードから前記第２のノードへのリンクモードを決定するステップと、
（ｄ）決定された前記リンクモードを使用して、前記第１のノードから前記第２のノードへとデータを送信するステップと、
（ｅ）前記第１のノードから前記第２のノードへと送信された前記データを受信するステップと、
（ｆ）前記第２のノードから前記第１のノードへと送信された前記データについて最適なリンクモードが使用されたかを判定するステップと、
（ｇ）もし最適なリンクモードが使用されていなければ、前記第１のノードから前記第２のノードへと、実質的に最適なリンクモードを達成できるように選択された調整後のリンクデータを搭載した第２のフレームを送信するステップと
を含むことを特徴とする方法。
【請求項１３】
前記第２のノードへの送信に先立って、前記送信電力レベルと前記干渉レベルとを前記フレーム内に格納するステップをさらに含むことを特徴とする請求項１２に記載の方法。
【請求項１４】
後続のフレームを送信する際に前記（ａ）−（ｇ）のステップを繰り返すステップをさらに含むことを特徴とする請求項１２に記載の方法。
【請求項１５】
前記リンクデータを使用して、送信電力を決定するステップをさらに含むことを特徴とする請求項１２に記載の方法。
【請求項１６】
前記干渉レベルにはスペクトラム分布が含まれていることを特徴とする請求項１２に記載の方法。
【請求項１７】
前記第２のノードにおいて、前記調整後のリンクデータを使用して、新しいリンクモードを決定するステップをさらに含むことを特徴とする請求項１２に記載の方法。
【請求項１８】
第１のノードと第２のノードとを含む通信システムであって、
前記第１のノードは、前記第１のノードから前記第２のノードへと、リンクデータを搭載したフレームを送信するように構成されており、
前記第２のノードは、前記第２のノードにおいて、前記フレームを受信し、前記リンクデータを使用して、前記第２のノードから前記第１のノードへのリンクモードを決定し、決定された前記リンクモードを使用して、前記第２のノードから前記第１のノードへとデータを送信するように構成されている
ことを特徴とする通信システム。
【請求項１９】
前記リンクデータには、送信電力レベル、干渉レベル、およびチャネルを決定するための手段が含まれていることを特徴とする請求項１８に記載の通信システム。
【請求項２０】
前記第１のノードはさらに、前記第２のノードへの送信に先立って、前記フレーム内に前記送信電力レベルと前記干渉レベルを格納することを特徴とする請求項１９に記載の通信システム。
【請求項２１】
前記干渉レベルにはスペクトラム分布が含まれていることを特徴とする請求項１９に記載の通信システム。
【請求項２２】
前記第１のノードは、前記受信と、前記決定と、前記送信とを、前記第１のノードからの後続のフレームを送信する際に繰り返し実行することを特徴とする請求項１８に記載の通信システム。
【請求項２３】
前記第２のノードは、前記リンクデータを使用して、送信電力を決定することを特徴とする請求項１８に記載の通信システム。
【請求項２４】
前記第１のノードは、前記第１のノードにおいて、前記第２のノードから送信された前記データを受信し、前記第２のノードから前記第１のノードへと送信された前記データについて最適なリンクモードが使用されたかを判定し、もし最適なリンクモードが使用されていなければ、前記第１のノードから前記第２のノードへと、調整後のリンクデータを搭載した第２のフレームを送信することを特徴とする請求項１８に記載の通信システム。
【請求項２５】
前記第２のノードは、前記第２のノードにおいて前記調整後のリンクデータを使用して、新しいリンクモードを決定することを特徴とする請求項２４に記載の通信システム。
【請求項２６】
前記調整後のリンクデータは、実質的に最適なリンクモードを達成できるように選択されることを特徴とする請求項２４に記載の通信システム。
【発明の詳細な説明】
【技術分野】
【０００１】
本願は、２００１年１１月８日に提出された米国特許仮出願第６０／３４４，６１０号について優先権を主張するとともに、その開示のすべてをここに参照により取り入れる。
【０００２】
本発明は、リンク適応処理に係り、とりわけ、通信するノード間でリンクモードの情報を転送することなくリンクを適応させる方法に関連する。
【背景技術】
【０００３】
ＩＥＥＥ８０２．１１のワイヤレスＬＡＮ（ＷＬＡＮ）標準規格は１９９７年に策定され、様々なノード間でワイヤレスＬＡＮによる通信が可能となった。ＩＥＥＥ８０２．１１標準規格は、ＯＦＤＭ（直交周波数分割多重）方式をベースとした新しい物理層を用いて拡張されている。また、高度のＱＡＭ（直交振幅変調方式）や種々の畳み込み符号処理を用いて、７つの異なるデータレートを実現している。２．４ＧＨｚの周波数帯向けに設計された類似の規格であるＩＥＥＥ８０２．１１ｂも規格化されており、この規格でも４つの異なるデータレートを提供している。
【発明の開示】
【発明が解決しようとする課題】
【０００４】
これらの標準規格や現存するすべてのリンク適応アルゴリズムのいずれもが、リンク適応制御メッセージを送信するための交換メカニズムを定義してはいない。リンク適応メッセージのための交換メカニズムが欠如しているので、ＩＥＥＥ８０２．１１の性能について限界が生じている。正しいリンク適応が選択されているかどうかに関する間接的な示唆に、設計者らは頼らなければならない。これらの例には、ある種の受領通知が有るか無いかが含まれる。従って、明瞭なリンクモードのシグナリングを必要としないリンク適応を制御する方法が必要とされている。
【課題を解決するための手段】
【０００５】
本発明は、第１のノードと第２のノードとの間にあるリンクを介して情報を転送するシステム及び方法に関する上述の問題及び他の問題を克服しようとするものである。第１のノードから第２のノードへとフレームが送信される。当該フレームにはリンクデータが含まれている。リンクデータは、将来の転送のためのリンクモードを第２のノードが決定するのに役立つものである。当該フレームを第２のノードが受信すると、第２のノードは、当該フレームに含まれていたリンクデータを使用して、第２のノードから第１のノードへのリンクモードの決定を実行する。決定されたリンクモードを使用して、第２のノードから第１のノードへの送信が実行される。
【発明を実施するための最良の形態】
【０００６】
添付の図面は、本発明の実施形態を図解しており、また本発明の原理を説明するための記述が含まれている。さらに、当該図面は、本発明の理解を深めるために提供され、またこの明細書の一部を構成するとともに明細書に取り入れられているものとする。
【０００７】
添付図面のうち、とりわけ図１を参照する。図１には、伝統的なリンク適応処理の例が示されている。ノードＡは、１０において、ノードＢが受信品質を決定できるようにするためのフレームを送信する。ノードＢは、ある種のアルゴリズムまたは処理１５において、この情報を使用する。このアルゴリズムまたは処理１５は、ノードＡからノードＢへの通信用のリンクモードについて最適なものを選択するものである。続いて、ノードＢは、ノードＡに対し、推奨されるリンク適応（リンクアダプテーション：ＬＡ）モードについての通知を送信する。ノードＡは、推奨されているリンクモードを使用して、後続の送信２５を実行する。このプロシージャは、後続の通信のために繰り返し利用され、これによって、リンクの状態の変化に対し連続的に適応することが可能となる。このプロシージャは、閉ループ型の送信電力制御に類似しており、当該電力制御回路に統合してもよい。
【０００８】
いくつかの無線システムにおいて、ノードの１つはアクセスネットワークへと物理的にアタッチされていてもよい。アクセスネットワークが、あるリンクモードを使用するという決定をしてもよい。ここで、他のノードらはリンクモードについての推奨情報を提供するだけであってもよいし、あるいは測定報告を送信するだけであってもよい。その結果、いささか非対称性が生じる。これは図１からは明瞭ではないが、ノードＡとノードＢとが互いに均等ではないからである。このタイプのシステムでの主な問題は、ＩＥＥＥ８０２．１１用の詳細なシグナリング方法が定義されていないことである。それゆえ、この方法は、リンク適応シグナリングを用いて、標準規格を拡張できる場合にしか適用できない。
【０００９】
ＩＥＥＥ８０２．１１について考えられるリンク適応方式の一つは、間接的なフィードバックを使用することである。もちろんこの方式も、明確なリンク適応のフィードバックメカニズムが欠如している。間接的なフィードバックは、受信確認通知が到着しているか未着であるかを利用することによって適用可能である。リンクモードは、応答の関数として上昇または下降する。しかしながら、このアプローチは、適当なレートが見つかるまで少々時間がかかり、それを我慢することを通信に強いるものである。動作点を決定するようにフレームエラーは意図的に導かなければならないので、レートを増加／減少させる方法は、あまり効率的ではない。
【００１０】
エンティティ間で情報を送信する必要のある閉ループシステムにおいて実装される伝統的なリンク適応システムの方法には、リンク適応用のシグナリング方式が必要とされるといった問題が内在している。図２を参照すると、本発明によれば開ループ型のリンク適応アプローチが提案されている。多くの無線システムで利用可能なチャネルの相互性を利用することによって、これは実現される。しかしながら、この方式を実現するには追加の情報が必要となる。まずフレームが送信されるときの送信電力に関する情報が提供されなければならない。また、受信ノードにおける干渉レベルも提供されなければならない（好ましくは、干渉レベルフィールドにおいて示唆されなければならない。）。干渉レベルは、スペクトラム分布によって例示されてもよい。
【００１１】
図２に示されているシーケンスと図３に示されているフローチャートに関連する方法について参照する。初めに、ステップ３０において、送信電力レベルとノードＡの干渉レベルとが、ノードＡからノードＢへと送信されるフレーム中に記憶される。さらに、ステップ３５において、チャネルの決定を可能にするいくつかの手段が当該フレームに含められる。チャネルを推定する方法は二つあり、いわゆるパイロットシーケンス（これは、パイロット、パイロットシンボル、チャネル推定シーケンス／シンボル、トレーニングシーケンス／シンボルと呼ばれることがある。）、またはいわゆるブラインドチャネル推定を通して実行する方法である。ブラインドチャネル推定はそれほど一般的な方法ではないが、特定のパイロットシーケンスに頼る必要がない。その代わりに、データ搬送シンボル（または類似のもの）と、使用されている変調方式についてのある種の属性とを使用する。例えば、許容されている変調方式の振幅もしくは位相についての情報は、チャネルの情報を決定するために使用することができる。パイロットシーケンスの場合は、トレーニングシーケンスについての情報を保持している受信機は、良いチャネル推定を実行できる。システムを識別できるようにするため、あるシステムと他のシステムとではパイロットシーケンスが異なり、また変調方式を識別するためにある変調方式と他の変調方式とではパイロットシーケンスが異なるように設計される。例えば、ＩＥＥＥ８０２．１１ａで使用されているパイロットシーケンスは、標準規格において定められている。ステップ４０において、ノードＡはノードＢへとフレームを送信し、ステップＳ４５において当該フレームがノードＢによって受信される。
【００１２】
ＩＥＥＥ８０２．１１のプロトコルでは、例えば、フレームは、アクセスポイントからステーション（ＳＴＡ）へと発行されたＣＦ−ＰＯＬＬフレームとすることができる。ノードＡは、使用されている送信電力と望ましい受信電力とを同一のＣＦ−ＰＯＬＬフレームに入れて伝送しうる。後者は、ノードＡにて観測される干渉レベルと受信電力のレベルに依存している。
【００１３】
ステップ４５において、ノードＢがノードＡから当該フレームを受信した後であれば、ノードＢからノードＡへと送信される後続のメッセージについて、リンクレートやリンクモードを選択するために必要となる必須の情報のすべてを保持したことになる。ノードＢはステップ５０においてリンクレートやリンクモードを決定する。また、ノードＢは、過去の通信と、リンクモードを決定する際に（既に）関連して導出されたチャネル情報とを考慮してもよい。なお、図１に関連して説明したシステムでは、ノードＡからノードＢへの送信についてのリンクモードをノードＢが決定していたが、これとは対照的に、ノードＢからノードＡへの送信についてのリンクモードをノードＢが決定してもよい。なお、ノードＡから受信したフレームに搭載されていた情報を使用して、リンクレートやリンクモードを決定する際に利用される特定のアルゴリズムまたは方法は、種々の手法により実行可能である。
【００１４】
しかしながら、数個のアプローチが使用されてもよい。１つのアプローチとしては、無線リソース管理ポリシーを適用することであろう。無線リソース管理ポリシーは、ネットワークの全体にわたり利益をもたらすものである。あるいは、他の通信へと妨害を与えることなく、また、発生する干渉に関連する弊害を与えることなく、自己の性能を最大限に利用するために単一のノードが試行するといったポリシーを適用してもよい。ＩＥＥＥ８０２．１１ネットワークにおけるポリシーは、後者により似ており、すなわち、各ノードが自己の性能を最大限となるように試行するものである。これに照らし、各々のノードがリンクモードだけでなく送信電力を選択するために試行してもよい。その際には、ノードのスループットが最大となるような手法を用いる。オプションとして、スループットを最大にしつつ、かつ最速のリンクモードを使用しているときに、超過電力を使用して送信しないことを各ノードが選択するようにすれば、送信電力を節約し、（バッテリーを使用しているときは）バッテリーの持ち時間を延ばすことができる。
【００１５】
本発明の特徴として取り入れられる典型的なリンクモードの選択方法としては、スループットを最大限にする状況下で（そして最速のレートに近い任意の最速レートモードについて）、ノードＢの送信電力を最小化する方法がある。これは目的関数ｆｑによって概念化することができる。ｆｑ＝ｆ（ＳＬＭ，ＰＴＸ，Ｈ，Ｉ）であり、ここで、ＳＬＭは、すべてのリンクモードの組みを表しており、ＰＴＸは、ノードＢに対して許可された送信電力の範囲内における送信電力を表しており、Ｈは、ノードＡからＢへの決定されたチャネルであり（ここでは相互的なチャネル、もしくは少なくとも相互的に近いものを仮定している。）、Ｉは、ノードＡにおける干渉レベルを表している。目的関数は、例えば、期待されるスループットであってもよいが、他の最適化の原理（例えばパケット誤り率など）であってもよい。ここで、目的関数ｆｑには、満すべき条件として、ある最低品質の状況であるＱｍｉｎを課すものとする。次に、ＳＬＭの組み内のリンクモードが、ＰＴＸの取りうる範囲内でテストされる。状況Ｑｍｉｎを満たし、かつ、最小の電力ＰＴＸを消費するものの組み合わせが選択される。代替案として、もしＰＴＸを変更できない場合には、ｆｑによって最適な品質を与えるリンクモードが選択される。
【００１６】
リンク適応については、一般に、リンクモード（単一の座標配置と前方誤り訂正符号化）の変更に限定されることはなく、送信電力制御が含まれてもよいことは重要である。すなわち、提供される送信電力は固定レベルでなくてもよいのである。しかしながら、オリジナルのＩＥＥＥ８０２．１１標準規格によれば、送信電力は固定であり、それゆえリンク適応には、リンクモード（座標配置とＦＥＣ）の変更だけが含まれよう。ノードＢからノードＡへの送信は、ステップ５５において、決定されたリンクモードを使用して実行される。
【００１７】
次に図４及び図５を参照する。これらには、閉ループのリンク適応を実現するために提案された開ループのリンク適応方法の拡張が示されている。この処理の第１の部分では、図２に関して説明したように、ノードＡにおける送信電力レベルと干渉レベルとが、ステップ６０においてフレームに格納される。当該フレームはノードＡからノードＢへと送信されるものである。
【００１８】
さらに、チャネル決定を可能ならしめる何らかの手段がステップ６５においてフレーム内に含められる。チャネルを推定する方法は本質的に２つあり、いわゆるパイロットシーケンスまたは前述のブラインドチャネル推定を通じた方法である。ノードＡは、ステップ７０において、ノードＡからノードＢへとフレームを送信し、ステップ７５において当該フレームが受信される。ステップ７５において、ノードＢが、ノードＡからのフレーム受信すると、ノードＢは、ノードＢからノードＡへと送信される後続のメッセージについて、リンクレート／モードを選択するために必要となる必須の情報をすべて保持することになろう。この情報を使用して、ノードＢは、ステップ８０において、リンクレート／モードを決定する。ノードＢからノードＡへの送信は、ステップ８５において、決定されたリンクモードを使用して実行される。
【００１９】
決定されたリンクモードを使用して、ノードＢからの送信信号をノードＡにおいて受信すると、ステップ９０において、ノードＡは、ノードＢからノードＡへの送信の際に最適のリンクモードが使用されていたかどうかを判定する。もし、最適なリンクモードが使用されていれば、制御はステップ６０に戻り、送信電力レベルと干渉レベルの情報とが、ノードＢへと返送されるフレーム内に格納される。一方で、最適なリンクモードが使用されていなかったと判定されたときは、ノードＡは、ノードＢからの後続の送信についてのリンクモードの変更を実行する。すなわち、ステップ９５において、示された送信電力レベル、干渉レベルまたはこれらの双方を操作変更し、これらの操作変更後のものをノードＢへと返送されるフレームに格納することによって、リンクモードの変更が実行される。最適なリンクモードでなければ、電力レベルの不適切な設定につながり、あるいはチャネル送信信号内に存在する測定値が不正確になってしまうだろう。これは、最適なリンクモードへと到達するまで継続してしまうだろう。
【００２０】
もし通信を偶然受信してしまう他の局（ステーション）が、上述したように調整すべきか否かのリンクレートのマージンを誤解してしまうと、特定の状況が生じてしまうだろう。例えば、ノードＡにおいて、閉ループの拡張によって示唆される干渉レベル（または可能であれば送信電力レベル）によって、のちに、誤ったリンク適応や送信電力を使用してしまうといった問題の状況を招いてしまうおそれがある。これは顕著な問題かどうかは明らかではない。しかしながら、これを回避するために、規格化を必要とする２つの方法を提案する。これらの実装はオプションである。
【００２１】
第一の方法は、フレーム交換シーケンスの中で最初にだけあるフレームを送信できるようにすることである。そのようなフレームの例は、ＩＥＥＥ８０２．１１におけるＲＴＳ、ＣＴＳ及びＣＦ−ＰＯＬＬなどである。最初の２つのフレームについて、何れかの閉ループ適応を実行することはほとんど意味をなさないので、これらのフレームは、調整され、そして示唆された干渉レベルを決して含めるべきではない。それゆえ、通信を受信しているときは、いつも他の局は正しい送信パラメータを決定できることになる。どのフレームを用いて、正しい干渉レベル（もしくは可能なら送信電力レベル）の示唆を信号伝達するかについては、標準規格化されるべきであろう。
【００２２】
第２の方法は、正しいパラメータが示されているか否かを特定するためのＰＬＣＰ（Ｐｈｙｓｉｃａｌ  Ｌａｙｅｒ  Ｃｏｎｖｅｒｇｅｎｃｅ  Ｐｒｏｔｏｃｏｌ：物理層コンバージェンス・プロトコル）サービスフィールドにビットを追加することを基礎としている。このビットの利用方法のひとつは、閉ループモードまたは開ループモードのどちらが使用されているかを信号伝達することである。開ループにおいて、他のＳＴＡらは制限されることなく、非制限の情報を使用してもよいし、もし閉ループであることを信号伝達された場合は、他のＳＴＡらは当該情報を注意して使用すべきである。最初の２つのフレームについて開ループであることを信号伝達すると、効果的であろう。
【００２３】
閉ループ拡張についてのさらなる利点は、様々なアンテナダイバーシチの構成が採用されるときなど、リンクが相互的でないときに、役立ちうるということであろう。閉ループ拡張は、また、開ループの電力制御を閉ループの電力制御へと拡張する際に、直接的に適用可能である。なぜなら、リンク適応と電力制御は、異なる信号対雑音比の領域において、補完的に運用されるからである。
【００２４】
本発明についてＩＥＥＥ８０２．１１の文脈を用いて説明してきたが、当業者であれば、本発明は、似通った条件をともなう他の規格、システムおよびその他においても適用可能であることを明らかに理解できよう。
【００２５】
「干渉フィールド」及び「送信電力フィールド」は、同様に、単なるスカラー量
というよりは、むしろベクトル量に関連するかもしれない。その理由は、単一の無線チャネルを介しての種々の信号座標配置（もしくはより一般的な任意の変調方式）と前方誤り訂正だけでなく、送信機、受信機またはその双方が多数のアンテナを使用するときにはいつも使用される多重並列無線チャネルと、関連する符号処理および変調処理とをリンクモードが含んでもよいからである。Ｎ個の送信アンテナとＭ個の受信アンテナとが採用されるときは、事実上、Ｍ＊Ｎ個のチャネルを使用できる。これは、ＭＩＭＯ（ｍｕｌｔｉｐｌｅ ｉｎｐｕｔ ｍｕｌｔｉｐｌｅ ｏｕｔｐｕｔ：多入力多出力）チャネルと呼ばれ、ロバスト性、スペクトル効率またはその双方を拡大させるために前方誤り訂正符号を使用することができる。
【００２６】
代替案としては、送信機がＮ個のアンテナを備え、受信機が一つのアンテナだけを備えるものがある。この種のチャネルは、ＭＩＳＯ（ｍｕｌｔｉｐｌｅ ｉｎｐｕｔ ｓｉｎｇｌｅ ｏｕｔｐｕｔ：多入力一出力）と呼ばれ、主として通信のロバスト性を拡大するために使用される。ＳＩＭＯ（ｓｉｎｇｌｅ ｉｎｐｕｔ ｍｕｌｔｉｐｌｅ ｏｕｔｐｕｔ：一入力多出力）チャネルは、概念としては存在するが、送信側においてベクトル量による示唆を使用する必要性がない。これは、送信機がたった一つのアンテナしか備えていないからである。前方誤り訂正符号化方法については種々のタイプが既に開発されており、また開発中でもある。これは、ＭＩＭＯやＭＩＳＯの通信に関する研究は比較的に新しい分野であり、これらはここ数年に研究が始まったにすぎない。現時点での分類では、ＭＩＭＯ／ＭＩＳＯの符号化について未だに分類が欠落しているので、研究分野では種々の呼び名が氾濫している。ＭＩＭＯ／ＭＩＳＯのチャネルで使用可能な符号の例としては、ＳＴＣ（Ｓｐａｃｅ Ｔｉｍｅ Ｃｏｄｉｎｇ：時空間符号化）、ＭＩＭＯ符号（ＭＩＭＯでだけ使用可能）、送信ダイバーシチ（ＭＩＳＯでだけ使用可能）、ＭＩＳＯ符号（ＭＩＳＯでだけ使用可能）、ＢＬＡＳＴ（Ｂｅｌｌ Ｌａｂｓ Ｌａｙｅｒｅｄ Ｓｐａｃｅ−Ｔｉｍｅ：ベル研、多層化時空間）符号（ＭＩＭＯでだけ使用可能）がある。
【００２７】
本発明に関する動作と構造については、上述の説明から明らかであろう。本発明について、特定の実施形態として特徴づけ、図示し、そして説明してきたが、添付の特許請求の範囲において定義された発明から逸脱することなく、変更、改良を施すことができる。
【図面の簡単な説明】
【００２８】
【図１】図１は、伝統的なリンク適応処理を示す図である。
【図２】図２は、本発明の方法にかかるリンク適応処理を示す図である。
【図３】図３は、図２に関連する方法を示すフローチャートである。
【図４】図４は、閉ループ内における本発明の方法を示す図である。
【図５】図５は、図４に示した方法を説明するためのブロック図である。
【図１】
2005509357.tif 000003
【図２】
2005509357.tif 000004
【図３】
2005509357.tif 000005
【図４】
2005509357.tif 000006
【図５】
2005509357.tif 000007
【国際調査報告】
2005509357.tif 000008
2005509357.tif 000009
2005509357.tif 000010